(57)【特許請求の範囲】
【請求項１】
クラブヘッドの底面（２）の中央部に隆起部（３）を設け、該底面（２）の前縁（２’）から後方側に上記隆起部（３）の頂面（３”）を設け、
上記前縁（２’）から上記隆起頂面（３”）に向かって上記前縁（２’）に沿って縦断面孤形凹部（３ａ）を形成し、
上記隆起部（３）の頂面（３”）から上記底面（２）のトウ側に向けて傾斜するトウ側傾斜面（５）を形成し、該隆起部（３）の頂面（３”）から上記底面（２）のヒール側に向けて傾斜する上記トウ側傾斜面（５）より緩なヒール側傾斜面（５’）を形成し、
アドレス姿勢において上記前縁（２’）が地面に接することなく上記頂面（３”）が地面に接するゴルフクラブのヘッド。
【発明の詳細な説明】
【０００１】
【発明の属する技術分野】
本発明はゴルフクラブのヘッドにおけるバンスに関するものである。
【０００２】
【従来の技術】
従来、例えば寄せ専用クラブとしてジガー（ランニングアプローチ用）又はチッパー（ピッチエンドラン用）と称されるクラブがあるが、これらのクラブはボールをグリーン上に乗せる場合（通常ピンホールを狙う）、芝草７’の抵抗（特に草が逆目の場合）によりクラブの抜きが悪く、その押打する強弱の手加減が大変難しく押圧したボールがグリーンを越えたり、ボールが飛ばず（通称チョロ）グリーンに届かないという問題があった。又ゴルフコースには競技を難しく設定するために、ガードバンカーとしてグリーン付近又はコース途上に諸々のバンカーを設置している。バンカー専用クラブとして、サンドウッジと称するクラブが存在するが、特にこのクラブはクラブヘッドの振り抜きの如何によって、その成否に影響を与える場合が多い。
【０００３】
【発明が解決しようとする課題】
本発明は特にグリーン付近にボールが落ちた場合、これを円滑にグリーン上に乗せ易い寄せ専用クラブは勿論、その他ゴルフクラブの性能をアップすることができる。
（１）インパクトエリアを拡げる
（２）クラブヘッドの振抜きを容易にする
（３）インパクトの際、クラブのヘッドが「シャットフェース」になりにくいようにする
上記（１）（２）（３）を目的とする。
【０００４】
【課題を解決するための手段】
上記目的を達成するため本発明は、
クラブヘッドの底面（２）の中央部に隆起部（３）を設け、該底面（２）の前縁（２’）から後方側に上記隆起部（３）の頂面（３”）を設け、上記前縁（２’）から上記隆起頂面（３”）に向かって上記前縁（２’）に沿って縦断面孤形凹部（３ａ）を形成し、上記隆起部（３）の頂面（３”）から上記底面（２）のトウ側に向けて傾斜するトウ側傾斜面（５）を形成し、該隆起部（３）の頂面（３”）から上記底面（２）のヒール側に向けて傾斜する上記トウ側傾斜面（５）より緩なヒール側傾斜面（５’）を形成し、アドレス姿勢において上記前縁（２’）が地面に接することなく上記頂面（３”）が地面に接するゴルフクラブのヘッド
によって構成される。
【０００５】
【発明の実施の形態】
シャフト６の先端にクラブヘッド１の一端側（ヒール側）を接続し、シャフト６を垂下した状態で打球面（フェース）４を上から下に向って前方に傾斜させてクラブヘッド１が形成される。
【０００６】
上記ヘッド１の底面２（ソール）にはその中央部に隆起部３を設け、該隆起３の前端部３’を打球面４（フェース）側に向け、かつ打球面４の下縁即ち底面２の前縁２’と間隔Ｈを介して後方に隆起３の頂面３”を配置する。そして前縁２’から間隔Ｈを介し又は間隔Ｈから直接頂面３”に向って前縁２’に沿って縦断面円弧形凹部３ａを形成する。
【０００７】
又上記隆起３の頂面３”から上記ヘッド１の背部に亘って傾斜面５’、５’を扇状に形成する。即ち底面２の前縁２’から間隔Ｈを介して頂面３”に向う傾斜面５、５’を図４に示すように扇形に形成する。
【０００８】
上記頂面３”の他端側（トウ側）の傾斜面５を急に形成し、一端側（ヒール側）の傾斜面５’を緩に形成する。
【０００９】
従ってボール８に向うアドレスの姿勢では上記隆起３の頂面３”が地面７に接し、その位置からテークバックに移行し、矢印ｃの方向にスルーダウンが行われる際、ヒッティングエリアａが形成され、ピンポイントｐにフェース４を衝接する範囲が拡大する。
【００１０】
さらに矢印ｃ方向のスルーダウンに際し、トウ側傾斜面５が急で地面７への抵抗が大であり、ヒール側傾斜面５’が緩で地面７への抵抗が小であるためインパクトの際、ヘッド１が図５矢印ｂ方向に向うシャットフェースの状態が修正され矢印ｓ方向（正常状態）となる。即ち常にヒール側からクラブフェース４が進入し、インパクト時にフェース４が正常状態に保たれる。
【００１１】
さらに詳細に説明すると
（１）クラブのフェース４面と接するソール部分２との間隔Ｈを開けることに依りインパクトエリアａを拡げる。
インパクトエリアａを拡げることに依り、インパクト時のミスショットの結果（ザックリ、チョロ）を従来のクラブに比較して、より緩和することができる。
【００１２】
（２）クラブのフェース４面に最も近いソール部分２の先端より舳先、形状、又は扇状に傾斜面５、５’を入れ、クラブヘッド１の振抜きを容易にすることができる。上記（１）との相乗作用を発揮する。
クラブヘッド１の振抜きが良ければ必然的に、ボール８の方向性及び飛距離が安定する。かつ個々（１３本）のクラブの特性が生かせる。
【００１３】
（３）クラブフェース４がインパクト時にシャット（図６矢印方向に回動する）の状態にならないよう（２）の削込の際、クラブのトウ部分と、ヒール部分の削込比率を７：３〜６：４の比率で削込むことにより（２）との相乗作用を発揮する。
【００１４】
トウ部分とヒール部分の傾斜面５、５’の削込比率を変えることに依り芝の抵抗に依り常にヒール側からクラブフェース４が先に進入する状態となりインパクト時のフェース４の面が正常位置に保たれる。その結果正常な方向ｓへのショットが可能となる（図６）。
【００１５】
即ち個々のクラブのフェース４のロフト角通り打球することができる。
（４）インパクトエリアを拡げる利点
基本的にインパクトエリアａが広ければ広い程、打球することが容易くなる。換言すれば、インパクトエリアａが狭いほど、打球することが難しい。
【００１６】
通常、ロフト角が大きい程（例えばサンドウエッジ、ロブウエッジ等、ロフト角５０度〜６０度）そのインパクトエリアａは狭く、非常に難しいクラブである。
【００１７】
（５）クラブヘッドの振抜きの効果
上級者と下級者の差はクラブヘッド１がスムースに振抜けるか否かによって決まる｛スコアメークの原点である。各々クラブの使い分けに依り（目的グリーン）距離の測定をする｝クラブヘッド１が振抜ければクラブ個々の特性（飛距離、角度）及び方向性が安定する。
【００１８】
（６）インパクト時におけるクラブフェース４の進入位置に依る影響
最悪の状態はインパクト時にクラブのフェース４がシャット（図６ｂ方にヘッドが向う）な状態で進入して来る場合（初心者に特に多い）である。即ち引掛けボール又は超フックボール或は低空飛行の状態（ボールを漬す）となる。当然個々のクラブの特性は生まれない。即ち飛距離が合わない状態及び飛距離が計算出来ない状態となる。
【００１９】
【発明の効果】
本発明は上述のように構成したのでインパクトに際し、フェースがボールの正常位置にヒットし易く、かつフェースがシャットフェースになり難く正常方向にヒットさせ得る効果がある。
【図面の簡単な説明】
【図１】本発明のゴルフクラブのヘッドを示す側面図である。
【図２】前縁から隆起頂面に向う縦断面弧形凹部を形成したゴルフクラブのヘッドの側面図である。
【図３】アイアンヘッドのヒッティングエリアを示す側面図である。
【図４】ウッドヘッドのヒッティングエリアを示す側面図である。
【図５】（イ）図は図２Ａ−Ａ線による底面図である。
（ロ）図は図３Ｂ−Ｂ線による底面図である。
【図６】ヒット時のフェースの方向の平面図である。
【図７】従来のクラブヘッドで本発明（図１、図２）の前縁２’の位置と比較した側面図である。
【符号の説明】
１    クラブヘッド
２’  前縁
Ｈ    間隔
３    隆起
３”  頂面
５    トウ側傾斜面
５’  ヒール側傾斜面
【図１】
0003560505.tif 000002
【図２】
0003560505.tif 000003
【図３】
0003560505.tif 000004
【図４】
0003560505.tif 000005
【図５】
0003560505.tif 000006
【図６】
0003560505.tif 000007
【図７】
0003560505.tif 000008